(57)【要約】【課題】使用時に作業者が天板上に立ったり腰掛けたりしにくくでき、作業者が天板から落下することを防止し得る脚立を提供する。【解決手段】二本の脚柱２間に複数の踏桟３が配設され且つ該脚柱２間上端に天板４が取り付けられた梯子枠５を二個備え、該二個の梯子枠５の脚柱２上端を蝶番６にて枢着した脚立１において、二個の梯子枠５のうち一方の梯子枠５の天板４上に、断面円弧形状のクッション部材７を外周面が上に向くよう取り付ける。【選択図】図１
2015175199.tif 000002
【特許請求の範囲】
【請求項１】
二本の脚柱間に複数の踏桟が配設され且つ該脚柱間上端に天板が取り付けられた梯子枠を二個備え、該二個の梯子枠の脚柱上端を蝶番にて枢着した脚立において、
前記二個の梯子枠のうち一方の梯子枠の天板上に、断面円弧形状のクッション部材を外周面が上に向くよう取り付けたことを特徴とする脚立。
【請求項２】
前記クッション部材は、前記天板上に載置される底板部と、該底板部両縁部から立ち上がり且つ前記クッション部材の径方向への拡がりを阻止するストッパ部とを備えた溝型台座上に嵌着され、該溝型台座と共に前記天板上に取り付けられる請求項１に記載の脚立。
【請求項３】
前記脚立において、前記蝶番には脚立使用時上方へ張り出すアイ状のブラケットが有り、前記溝型台座は、一端側が前記ブラケットに掛止され且つ他端側が前記蝶番と脚柱との段差を利用して脚柱に装着される締結バンドにより前記天板上に着脱自在に取り付けられる請求項２に記載の脚立。
【請求項４】
前記締結バンドは、前記クッション部材が嵌着された溝型台座を脚柱側に縮まろうとする力で天板に押し付ける伸縮自在な弾性バンドと、該弾性バンドの一端に設けられ且つ前記蝶番の上方へ張り出すブラケットに掛止されるフックと、前記弾性バンドの他端に設けられ且つ前記脚柱に装着されるクランプとを備えた請求項３に記載の脚立。
【発明の詳細な説明】
【技術分野】
【０００１】
本発明は、建築現場にて取り扱いが容易な足場として用いられる各種作業現場で使用される脚立に関するものである。
【背景技術】
【０００２】
従来、脚立は、仕上がった天井に設備器具を取り付ける作業、仕上げ塗装作業、既設の居室や機械室内での点検作業、電気配線作業、小規模な改修工事、その他、新築建設現場等で組まれる本格的な単管足場やローリングタワーが利用できる環境ではない工事の場合に、高所作業までは行かないものの少し高い位置の作業に適した、取り扱いの容易な足場材としてその利便性から広く利用されている。
建設現場では、建設工事用の仮設構造物及びその構成機材について必要な構造基準等を設定し労働災害防止を図る仮設工業会で認定された仮設足場材を使用していて、脚立もその範疇に属している。仮設工業会認定の脚立は、業務使用に耐える丈夫な構造を有するアルミ合金製脚立である。建設工事現場では、不適切な仮設足場の利用による墜落災害防止のため、梯子兼用脚立は通常用いず、専用脚立を使用する。
一般に、図８に示される如く、各種作業現場で使用される脚立１は、二本の脚柱２間に複数の踏桟３が配設され且つ該脚柱２間上端に天板４が取り付けられた梯子枠５を二個備え、該二個の梯子枠５の脚柱２上端を蝶番６にて枢着した構成を有している。
【０００３】
前記天板４は、幅広の平板状に形成され、作業工具等の仮置き場として使用可能となっている。建設現場での脚立１の利便性及び安全帯が必須である２ｍを超える高所作業まで行かない高さでの作業の安心と油断から、脚立１の使用には安全上制限がかかっている。高さが１．２ｍを超える脚立１の使用については、天板４上に立ったり跨ったりして作業することは禁止事項である。これは、手摺のない脚立１の場合、踏桟３に乗ってその上部の梯子枠５の部分で体を支える使用を想定しており、天板４上では、体のバランスを崩した場合に支えるものが何もないからである。よって、前記天板４は作業工具等の仮置き場の利用に制限される。
【０００４】
又、前記脚立１を複数並設し、該複数並設した脚立１の天板４間、或いは踏桟３間に足場板（図示せず）を掛け渡すように乗せることにより、前記脚立１を足場として使用することもある。脚立１間の間隔は１．８ｍ以下に並べ、厚さ２５ｍｍ以上、幅２４ｃｍ以上の合板足場板等を用い、三つ以上の脚立１の踏桟３に掛け渡す場合を除き足場板を踏桟３にゴムバンド等で固定して使用する。
【０００５】
尚、図８に示されるような構造の脚立１と関連して、建設現場以外で利用されている梯子兼用脚立についての一般的技術水準を示すものとしては、例えば、特許文献１がある。この梯子兼用脚立は図８に示す専用脚立と異なり、梯子兼用脚立では、梯子として使用する場合、それぞれの梯子枠が回転して、二つの梯子枠が一直線上に位置する必要があり、梯子枠の上端は幅が狭く逆コの字のチャンネル材で天板が貼られておらず、蝶番が開ききる動作を邪魔しないようになっている。特許文献１では、脚立として使用する際に、天板は水平にならず、幅広の平板状にならずに作業工具等の仮置き場の体をなさない。
【先行技術文献】
【特許文献】
【０００６】
【特許文献１】特開２００８−２９７７０５号公報
【発明の概要】
【発明が解決しようとする課題】
【０００７】
上記のように、２ｍを超える高所作業ではなく安全帯を使用しない作業を許す脚立使用において、天板４上に立ったり跨って作業することは禁止事項であると、建設現場では周知されているにもかかわらず、従来の脚立では、手近により高い代替脚立がなかったり、気をつけるから大丈夫といった安易な理由から、作業者が幅広の平板状に形成された天板４の上に立って作業したり、或いは脚立１の上部に跨る形で天板４の上に腰掛けて作業したりすることが比較的行いやすいため、作業者が作業中に身を乗り出したはずみでバランスを崩して天板４から落下したり、脚立ごと倒れて落下したりすることがあり、対策が望まれていた。
【０００８】
本発明は、上記従来の問題点に鑑みてなしたもので、使用時に作業者が天板上に立ったり腰掛けたりしにくくでき、作業者が天板から落下することを防止し得る脚立を提供しようとするものである。
【課題を解決するための手段】
【０００９】
本発明は、二本の脚柱間に複数の踏桟が配設され且つ該脚柱間上端に天板が取り付けられた梯子枠を二個備え、該二個の梯子枠の脚柱上端を蝶番にて枢着した脚立において、
前記二個の梯子枠のうち一方の梯子枠の天板上に、断面円弧形状のクッション部材を外周面が上に向くよう取り付けたことを特徴とする脚立にかかるものである。
【００１０】
前記脚立において、前記クッション部材は、前記天板上に載置される底板部と、該底板部両縁部から立ち上がり且つ前記クッション部材の径方向への拡がりを阻止するストッパ部とを備えた溝型台座上に嵌着され、該溝型台座と共に前記天板上に取り付けられることが好ましい。
【００１１】
前記脚立において、前記蝶番には脚立使用時上方へ張り出すアイ状のブラケットが有り、前記溝型台座は、一端側が前記ブラケットに掛止され且つ他端側が前記蝶番と脚柱との段差を利用して脚柱に装着される締結バンドにより前記天板上に着脱自在に取り付けられることが好ましい。
【００１２】
前記締結バンドは、前記クッション部材が嵌着された溝型台座を脚柱側に縮まろうとする力で天板に押し付ける伸縮自在な弾性バンドと、該弾性バンドの一端に設けられ且つ前記蝶番の上方へ張り出すブラケットに掛止されるフックと、前記弾性バンドの他端に設けられ且つ前記脚柱に装着されるクランプとを備えることが好ましい。
【発明の効果】
【００１３】
本発明の脚立によれば、使用時に作業者が天板上に立ったり腰掛けたりしにくくでき、作業者が天板から落下することを防止し得るという優れた効果を奏し得る。
【図面の簡単な説明】
【００１４】
【図１】本発明の脚立の第一実施例を示す斜視図である。
【図２】本発明の脚立の第一実施例を示す一側面図であって、図１のＩＩ−ＩＩ方向矢視図である。
【図３】本発明の脚立の第一実施例を示す他側面図であって、図１のＩＩＩ−ＩＩＩ方向矢視図である。
【図４】本発明の脚立の第一実施例におけるクッション部材と溝型台座と締結バンドを示す分解斜視図である。
【図５】本発明の脚立の第一実施例における天板の上に立った場合の足の状態を示す他側面図である。
【図６】本発明の脚立の第一実施例における天板の上に腰掛けた場合の下半身の状態を示す他側面図である。
【図７】本発明の脚立の第二実施例を示す斜視図である。
【図８】従来の脚立の一例を示す全体斜視図である。
【発明を実施するための形態】
【００１５】
以下、本発明の実施の形態を添付図面を参照して説明する。
【００１６】
図１〜図６は本発明の脚立の第一実施例であって、図中、図８と同一の符号を付した部分は同一物を表わしており、基本的な構成は図８に示す従来のものと同様であるが、本第一実施例の特徴とするところは、図１〜図６に示す如く、一方の梯子枠５の天板４上に、断面円弧形状のクッション部材７を外周面が上に向くよう取り付けた点にある。
【００１７】
本第一実施例の場合、前記クッション部材７は、図３及び図４に示す如く、溝型台座８上に嵌着してある。該溝型台座８は、前記天板４上に載置される底板部８ａと、該底板部８ａ両縁部から立ち上がり且つ前記クッション部材７の径方向への拡がりを阻止するストッパ部８ｂとを備えている。前記クッション部材７は、前記溝型台座８と共に前記天板４上に取り付けられるようにしてある。
【００１８】
前記溝型台座８は、一端側が蝶番６の上方へ張り出すアイ状のブラケット６ａに掛止され且つ他端側が前記蝶番６の脚柱２との段差を利用して脚柱２に装着される締結バンド９により前記天板４上に着脱自在に取り付けられるようにしてある。
【００１９】
前記締結バンド９は、前記クッション部材７が嵌着された溝型台座８を天板４に脚柱２側に縮まろうとする力で押し付ける伸縮自在な弾性バンド９ａと、該弾性バンド９ａの一端に設けられ且つ前記蝶番６の上方へ張り出すアイ状のブラケット６ａに掛止されるフック９ｂと、前記弾性バンド９ａの他端に設けられ且つ前記脚柱２に装着されるクランプ９ｃとを備えるようにしてある。
【００２０】
前記フック９ｂは、図２及び図４に示す如く、バックル９ｄの取付座９ｉに対し鋼材からなる第一フック部材９ｅと第二フック部材９ｆとをボルト・ナット等の締結部材９ｇにより取り付けてなる構成を有している。前記バックル９ｄは、矩形状の金属板に、前記弾性バンド９ａの一端部を挿入して折り返し再び挿入できる二つの孔９ｈを穿設し、前記金属板の底部中央に前記締結部材９ｇの取付座９ｉを突設してある。前記弾性バンド９ａの一端部は前記バックル９ｄの二つの孔９ｈに折り返すよう挿入して縫い付けることにより、前記弾性バンド９ａの一端にバックル９ｄが取り付けられるようにしてある。前記第一フック部材９ｅは、前記締結部材９ｇの軸部が貫通する円筒状の枢支部９ｊと、該枢支部９ｊの外側面からその半径方向へ張り出して屈曲形成される帯板部９ｋと、該帯板部９ｋの前記枢支部９ｊの近傍に上方に突出する突起９ｕとを備え、又、前記第二フック部材９ｆは、前記締結部材９ｇの軸部が貫通し且つ前記第一フック部材９ｅの枢支部９ｊ上に配設される円筒状の枢支部９ｍと、該枢支部９ｍの外側面からその半径方向へ張り出し且つ前記第一フック部材９ｅの帯板部９ｋとは反対側へ屈曲形成される帯板部９ｎとを備え、屈曲された帯板部９ｎの枢支部９ｍに近い板の下方の側面に前記第一フック部９ｅの帯板部９ｋの上方に突出する突起９ｕが当たるように配置され、前記第一フック部材９ｅの帯板部９ｋと前記第二フック部材９ｆの帯板部９ｎとは屈曲部がお互い平面で重なる側に常時いるように帯板部９ｋの突起９ｕがストッパの役割を持っている。フック９ｂの幅寸法は、第一フック部材９ｅの帯板部９ｋの突起９ｕが第二フック部材９ｆの帯板部９ｎの側面に当接する状態となる、第一フック部材９ｅと第二フック部材９ｆとの配置の場合が一番大きくなり、帯板部９ｋと帯板部９ｎとが、平面視で重なるように配置されるほど幅寸法は小さくなる。前記蝶番６のアイ状のブラケット６ａに設けられた矩形の開口部６ｂに対し、前記第一フック部材９ｅの帯板部９ｋ及び第二フック部材９ｆの帯板部９ｎを平面視で重ねるようにすることで幅を小さくして挿入し、その後、帯板部９ｋの突起９ｕが帯板部９ｎの側面に当接する第一フック部材９ｅと第二フック部材９ｆとの配置とすることで、アイ状のブラケット６ａの側部材に、第一フック部材９ｅの帯板部９ｋの先端部及び第二フック部材９ｆの帯板部９ｎの先端部を掛止させるようにしてある。帯板部９ｋの突起９ｕが帯板部９ｎの側面に当接する第一フック部材９ｅと第二フック部材９ｆとの配置では、該第一フック部材９ｅと第二フック部材９ｆとがそれ以上は広がらないので、フック９ｂが弾性バンド９ａの縮む方向にはしっかりとブラケット６ａに固定される。
【００２１】
前記クランプ９ｃは、図３及び図４に示す如く、ベースクランプ部材９ｐに対しロッククランプ部材９ｑを開閉自在に枢着してなる構成を有している。前記ベースクランプ部材９ｐは、前記脚柱２の外周三面に倣うよう屈曲し且つヒンジ部９ｒが形成された金属板であり、該金属板に穿設された孔９ｓに前記弾性バンド９ａの他端部を挿入し折り返して縫い付けることにより、前記弾性バンド９ａの他端にベースクランプ部材９ｐが取り付けられるようにしてある。前記ベースクランプ部材９ｐの設置時の上端部は、図３に示す如く、蝶番６の下端部に当接し、脚柱２の外側にリベット止めされている蝶番６の板厚分の段差に引っ掛かって脚柱２の上方への移動が阻止されるようにしてある。前記ロッククランプ部材９ｑは、前記ベースクランプ部材９ｐのヒンジ部９ｒにピン連結されるヒンジ部９ｔを備え、該ヒンジ部９ｔの外側面からその半径方向へ張り出し且つ前記ベースクランプ部材９ｐと共に脚柱２を把持・解放自在となるよう屈曲形成した金属板である。
【００２２】
一方、前記クッション部材７としては、例えば、市販されているトラパイプと称される単管用の保護材を利用することができる。前記トラパイプは、円筒状のポリエチレン発泡体の表面に黒色と黄色の縞模様を有するポリ塩化ビニルフィルムが貼り付けられた保護材で、建築現場の足場パイプや駐車場のポール等に取り付けられ、人に対する注意喚起と、接触時の衝撃緩和とを図るものである。前記円筒状のトラパイプを半割にすれば、前記クッション部材７としての利用が可能となる。
【００２３】
次に、上記第一実施例の作用を説明する。
【００２４】
先ず、クッション部材７が嵌着された溝型台座８の底板部８ａを一方の梯子枠５の天板４上に載置し、前記クッション部材７と溝型台座８で形成される空間内に弾性バンド９ａが通された締結バンド９の一端に設けられたフック９ｂを前記蝶番６の上方へ張り出すブラケット６ａに掛止させる。ここで、前記蝶番６のブラケット６ａに設けられた開口部６ｂに対し前記フック９ｂの第一フック部材９ｅの帯板部９ｋ及び第二フック部材９ｆの帯板部９ｎを平面視で重ねることで幅を小さくして開口部６ｂに挿入し、その後、帯板部９ｋの突起９ｕが帯板部９ｎの側面に当接する第一フック部材９ｅと第二フック部材９ｆとの配置とすることで、アイ状のブラケット６ａの側部材に、第一フック部材９ｅの帯板部９ｋの先端部、及び第二フック部材９ｆの帯板部９ｎの先端部をブラケット６ａに掛止させることが可能となる。
【００２５】
続いて、前記締結バンド９の他端に設けられたクランプ９ｃを脚柱２に装着する。ここで、前記クランプ９ｃのベースクランプ部材９ｐに対しロッククランプ部材９ｑを開いた状態で、前記弾性バンド９ａを引き伸ばし、前記ベースクランプ部材９ｐを、その上端部が図３に示す如く蝶番６の下端部に当接するよう、脚柱２の外周にあてがいつつ、ロッククランプ部材９ｑを閉じると、該ロッククランプ部材９ｑとベースクランプ部材９ｐが脚柱２を把持する形となって、脚柱２の上方へ移動せずにその位置に保持される。
【００２６】
これにより、図１〜図３に示す如く、一方の梯子枠５の天板４上に、断面円弧形状のクッション部材７を外周面が上に向くよう取り付けることが完了する。
【００２７】
そして、作業者が平板状に形成された天板４の上に立って作業しようとすると、クッション部材７は、図５に示す如く、作業者の足に踏まれて潰れるものの、溝型台座８のストッパ部８ｂにより径方向への拡がりが阻止され、完全に平坦とはならないため、作業者の足元がぐらついて不安定な状態となる。
【００２８】
又、作業者が平板状に形成された天板４の上に腰掛けて作業しようとすると、クッション部材７は、図６に示す如く、作業者の尻に敷かれて潰れるものの、溝型台座８のストッパ部８ｂにより径方向への拡がりが阻止され、完全に平坦とはならないため、作業者の体が腰の部分から傾き、やはり不安定な状態となる。
【００２９】
この結果、従来の脚立と比較し、作業者は、幅広の平板状に形成された天板４の上に立って作業したり、或いは脚立１の上部に跨る形で天板４の上に腰掛けて作業したりすることを避けるようになるため、作業者がバランスを崩して天板４から落下することがなくなる。
【００３０】
因みに、前記クッション部材７は一方の梯子枠５の天板４上にのみ取り付けられるため、蝶番６の動作を何ら妨げず、例えば、仮に二つの天板４とも一つの可撓性樹脂シートで覆った場合のように、二つの天板４の蝶番６が回動する動作に伴って互いの距離が離れていく変化に追従すべくクッション部材７が突っ張り撓みを起こすようなこともなく、脚立１の開閉には何ら支障がない。
【００３１】
又、前記脚立１を複数並設し、該複数並設した脚立１の天板４間に足場板（図示せず）を掛け渡すように乗せることにより、前記脚立１を足場として使用することもあるが、前記締結バンド９のクランプ９ｃを開いて脚柱２から取り外すと共に、フック９ｂを蝶番６のブラケット６ａの開口部６ｂから引き抜くように取り外せば、前記クッション部材７は、天板４から容易に離脱させることができるため、前記複数並設した脚立１の天板４間に足場板を掛け渡すように乗せる際の作業性が阻害される心配もない。そして、大規模な建設現場では、各職長単位で一つの会社が担当し複数社が集まって施工する場面も多く、各社が自身の工程に従って脚立１を持参することも多い。施工管理しているのは別な会社であったりするが、施工管理会社から前記クッション部材７と溝型台座８と締結バンド９をセットにして施工中貸与し、その日の施工が終了した時点で回収するという管理も容易に行える。
【００３２】
こうして、使用時に作業者が天板４上に立ったり腰掛けたりしにくくでき、作業者が天板４から落下することを防止し得る。
【００３３】
図７は本発明の脚立の第二実施例であって、図中、図１〜図６と同一の符号を付した部分は同一物を表わしており、基本的な構成は図１〜図６に示す第一実施例と同様であるが、本第二実施例の特徴とするところは、図７に示す如く、溝型台座８上に嵌着したクッション部材７を一方の梯子枠５の天板４上に、面ファスナー式或いは粘着式のテープ１０で固定するようにした点にある。
【００３４】
上記第二実施例のように構成すれば、蝶番６の上方へ張り出すブラケット６ａ（図１参照）がない脚立１であって、第一実施例における締結バンド９のフック９ｂが使えないような場合に、前記クッション部材７のテープ１０による固定が可能となり、従来の脚立と比較し、作業者は、幅広の平板状に形成された天板４の上に立って作業したり、或いは脚立１の上部に跨る形で天板４の上に腰掛けて作業したりすることを避けるようになるため、作業者がバランスを崩して天板４から落下することがなくなる。
【００３５】
こうして、第二実施例においても、第一実施例と同様、使用時に作業者が天板４上に立ったり腰掛けたりしにくくでき、作業者が天板４から落下することを防止し得る。
【００３６】
尚、本発明の脚立は、上述の実施例にのみ限定されるものではなく、本発明の要旨を逸脱しない範囲内において種々変更を加え得ることは勿論である。
【符号の説明】
【００３７】
１      脚立
２      脚柱
３      踏桟
４      天板
５      梯子枠
６      蝶番
６ａ    ブラケット
６ｂ    開口部
７      クッション部材
８      溝型台座
８ａ    底板部
８ｂ    ストッパ部
９      締結バンド
９ａ    弾性バンド
９ｂ    フック
９ｃ    クランプ
【図１】
2015175199.tif 000003
【図２】
2015175199.tif 000004
【図３】
2015175199.tif 000005
【図４】
2015175199.tif 000006
【図５】
2015175199.tif 000007
【図６】
2015175199.tif 000008
【図７】
2015175199.tif 000009
【図８】
2015175199.tif 000010